(57)【要約】      （修正有）【課題】ユーザーの足の衝撃を緩和する履物のソール構造を提供する。【解決手段】エネルギーリターンソール構造が、接地要素を含むソール３及び履物の着用者の足用の吊りエラストマーウェブ又はメッシュ１を含み、前記吊りエラストマーウェブ又はメッシュ１が可撓性であり、前記吊りエラストマーウェブ又はメッシュ１が前記エネルギーリターンソール構造の外周部に連接されており、前記エネルギーリターンソール構造が、前記吊りエラストマーウェブ又はメッシュ１と前記ソール３の間に発泡体又はクッション材料を含み、前記発泡体又はクッション材料が、前記吊りエラストマーウェブ又はメッシュ１が下向きに張力をかけられ撓んでいる間、前記吊りエラストマーウェブ又はメッシュ１の増加した内側への張力に起因する内側への撓みに抵抗するように前記外周部を支持している。【選択図】図１
2018149367.tif 000002
【特許請求の範囲】
【請求項１】
履物のエネルギーリターンソール構造であって、
前記エネルギーリターンソール構造が、接地要素を含むアウターソールを含み、
前記エネルギーリターンソール構造が、前記履物の着用者の足用の吊りエラストマーウェブ又はメッシュ支持体を含み、
前記吊りエラストマーウェブ又はメッシュ支持体が可撓性であり、
前記吊りエラストマーウェブ又はメッシュ支持体が前記エネルギーリターンソール構造の外周部に連接されており、
前記エネルギーリターンソール構造が、前記吊りエラストマーウェブ又はメッシュ支持体と前記アウターソールの間に発泡体又はクッション材料を含み、
前記発泡体又はクッション材料が、前記吊りエラストマーウェブ又はメッシュ支持体が下向きに張力をかけられ撓んでいる間、前記吊りエラストマーウェブ又はメッシュ支持体の増加した内側への張力に起因する内側への撓みに抵抗するように前記外周部を支持している、エネルギーリターンソール構造。
【請求項２】
前記吊りエラストマーウェブ又はメッシュ支持体の下に間隙空間を含んで、使用中に前記吊りエラストマーウェブ又はメッシュ支持体が前記吊りエラストマーウェブ又はメッシュ支持体と接地要素との間にある前記間隙空間内に撓み込むことを可能にしている、請求項１に記載のエネルギーリターンソール構造。
【請求項３】
前記発泡体又はクッション材料が前記吊りエラストマーウェブ又はメッシュ支持体の下に開又は閉セルの発泡体材料を含んで衝撃緩衝を提供する、請求項１又は２に記載のエネルギーリターンソール構造。
【請求項４】
前記吊りエラストマーウェブ又はメッシュ支持体はソール基部を横断して引っ張られている、請求項１から３のいずれか一項に記載のエネルギーリターンソール構造。
【請求項５】
前記吊りエラストマーウェブ又はメッシュ支持体は、前記吊りエラストマーウェブ又はメッシュ支持体上の突起によって、前記ソール基部の外周部に固着されている、請求項４に記載のエネルギーリターンソール構造。
【請求項６】
前記突起は、つまみ又はループ又はそれらの組合せを含んで、前記外周部の設計にそれぞれ盛り込まれた対応する凹所又は耳部に嵌る、請求項５に記載のエネルギーリターンソール構造。
【請求項７】
前記吊りエラストマーウェブ又はメッシュ支持体は、一体又は複数要素の成形された構成要素である、請求項１から６のいずれか一項に記載のエネルギーリターンソール構造。
【請求項８】
前記吊りエラストマーウェブ又はメッシュ支持体は、射出成形されている、請求項７に記載のエネルギーリターンソール構造。
【請求項９】
前記吊りエラストマーウェブ又はメッシュ支持体は、ポリウレタン熱可塑性エラストマーを含んでいる、請求項７又は８に記載のエネルギーリターンソール構造。
【請求項１０】
前記ウェブ又はメッシュ支持体は、前記履物の外周部と一体成形されている、請求項１から９のいずれか一項に記載のエネルギーリターンソール構造。
【請求項１１】
前記成形は、前記吊りエラストマーウェブ又はメッシュ支持体と前記外周部の両方とも同じ材料からのシングルショット射出成形であるか、又は前記吊りエラストマーウェブ又はメッシュ支持体と前記外周部に異なる材料を用いるツーショット・オーバー成形法であって、ツーショット・オーバー成形法の間に前記異なる材料が接合されるツーショット・オーバー成形法である、請求項１０に記載のエネルギーリターンソール構造。
【請求項１２】
前記吊りエラストマーウェブ又はメッシュ支持体の周りに、前記アウターソール及び／又は、ソール基部が成形されてソール構造を形成し、予張力は前記ソール構造が前記金型から出された後も維持されている、請求項１から１１のいずれか一項に記載のエネルギーリターンソール構造。
【請求項１３】
前記ウェブ又はメッシュ支持体は、３０〜１２０ショアーＡのジュロメーター値を有している、請求項９に記載のエネルギーリターンソール構造。
【請求項１４】
前記ジュロメーター値は、８０ショアーＡから９５ショアーＡである、請求項１３に記載のエネルギーリターンソール構造。
【請求項１５】
前記吊りエラストマーウェブ又はメッシュ支持体は、外周区域を中心区域の周りに有しており、前記中心区域は異なる材料であるか、又は材料のグレードが異なるか、又は前記外周区域の物理的特性とは異なる少なくとも１つの物理的特性を有している材料である、請求項１から１４のいずれか一項に記載のエネルギーリターンソール構造。
【請求項１６】
請求項１から１５のいずれか一項によるエネルギーリターンソール構造を含む、履物。
【請求項１７】
請求項１６に記載の履物であって、靴、ブーツ、トレーナー靴若しくはランニング靴、又はサンダルである、履物。
【発明の詳細な説明】
【技術分野】
【０００１】
本発明は、靴、ブーツ、及びサンダルなどの履物に関する。
【背景技術】
【０００２】
一般的な履物は、地面と接触するアウターソール（外底）、及びユーザーの足の衝撃を緩和するインナーソール（中底）からなる。
【０００３】
靴やブーツなどの囲み式の履物は、足を包み込み位置決めするアッパーも有する。
【０００４】
明確さのために、本明細書では、「履物」という用語は靴、ブーツ、サンダルなど外履きの履物に関し、ソックス、ストッキング、タイツ、及びパンティストッキングなど足に履く繊維衣料品の品目は含まない。
【０００５】
一般的な靴として知られている履物は、衝撃を和らげるソールからなり、快適性を提供する。しかし、一般的なソールのどのような設計又は構造方法も、すべて圧縮式クッションの原理に基づくものである。換言すると、ソールに足の重量がかかると、従来の発泡材料としてのクッションはその人の体重により圧縮される。したがって、圧縮下の靴ソール材料のクッション特性により、快適性がもたらされる。
【０００６】
さまざまなタイプの発泡体及び密度、エアポケット、調節可能な空気圧チャンバ、インサートボール、ばねなどを含む、ソールのクッション特性を改良する多くの選択肢が試されている。しかし、これらの方法はすべて、やはりクッション材料の圧縮に基づくものである。
【０００７】
Ｋｅｎｄａｌｌの米国特許第６，６０１，３２１号及び同第７，５５５，８４７号は、「引っ張り強さが高く「ばね性」が低い繊維」の吊られた織物ラチスを説明し、さらに、「このような実施形態すべてにおいて、ラチスの主たる耐力構成要素は非エラストマー高分子又は金属ベースの均質又は複合繊維又は糸である」と述べている。
【０００８】
本発明は、そのような非柔軟性構造を避け、可撓性エラストマーで形成された重量を支えるウェブを有する全く異なる構造を提案する。
【先行技術文献】
【特許文献】
【０００９】
【特許文献１】米国特許第６，６０１，３２１号明細書
【特許文献２】米国特許第７，５５５，８４７号明細書
【発明の概要】
【００１０】
本発明は、使用時にユーザーの足に接して支える吊りエラストマーウェブ又はメッシュを特徴とする（例えば靴の）履物構造において又はその一部として使用することができる。
【００１１】
これをふまえて、本発明の一態様は、履物のソール構造を提供し、該ソール構造は履物着用者の足用の吊りエラストマーウェブ又はメッシュ支持体を含む。
【００１２】
本発明は、有利にも独自の履物構成を提供するものであり、その主要な特性により通常の圧縮式クッションソールの設計を不要とする代わりに可撓性吊りエラストマーウェブ又はメッシュを利用し、このウェブ又はメッシュは、足の重量下で撓むことにより張力下に置かれて上向きの反発力を提供し、着用者の足を通じて加えられた重量をいわば可撓性ハンモックのように支持する。
【００１３】
アウターソール外縁部によって少なくとも部分的に吊られたエラストマーウェブ又はメッシュを提供して、足の重量の大半がウェブ／メッシュに吸収されるようにし、従来の靴ソールの圧縮式クッションを逆にすることが、本発明の少なくとも１つの形態の望ましい特性である。足によって加えられる重量でウェブは撓むが、そうしてウェブ／メッシュは伸びて、そのエラストマー材料が引っ張られる。このことは、足が履物のソール構造の外枠又はへりの内側で吊られて、可撓性「ハンモック」内で地面又は外底からいわば吊られていることを、事実上意味する。
【００１４】
一般的な靴は、足と接触する芯の滑らかな領域を通常含むので、通気性が非常に悪くなるため、空気の流通も非常に重要な問題である。一部の靴やサンダルは、通気性を改善するのに小さい凹溝を有する設計とされているが、明らかに、適切な空気流通なしで広いクッション領域となおも接触する必要がある。
【００１５】
吊りエラストマーウェブ／メッシュの履物は、オープンメッシュ設計のおかげで足の大部分がウェブ／メッシュと物理的に接触する表面積が小さいため呼吸できるので、優れた通気性を提供することができる。
【００１６】
理解すべき最も重要なことは、ウェブ／メッシュのエラストマーは、快適性及び通気性を提供するだけでなく、足首や膝などの肢部への圧力を決定的に軽減することである。メッシュは可撓性弾性／エラストマー材料なので、優しく曲がり反発して、膝、足首などへの衝撃圧力を軽減する。
【００１７】
ウェブ又はメッシュは、ウェブ／メッシュの下の間隙／空間（つまり、ウェブ／メッシュと外底の間、又はオープンソールの履物では、接地要素がウェブ／メッシュを支持している外枠であるときはウェブ／メッシュと地面の間）内に撓み込むように設計されている。
【００１８】
通常の歩行中に（５０ｋｇ又はジャンプ後の着地などの）大きな下方向の力が加えられることがあれば、メッシュはソール又は地面に接するまで撓む場合がある。
【００１９】
したがって、この空間又は間隙の少なくとも一部に柔らかい発泡体を含むことも可能である。したがって、ウェブ／メッシュは十分な距離を押し下げられると発泡体に接触することができ、それによってソール底部に加えられた圧力は和らげられ得る。重要なことは、ウェブ／メッシュが「底に着いて」も、その過程においてなおも下方向の力及び衝撃の大部分を吸収しており、ウェブ／メッシュがより正常な位置に戻るときにこの力の何パーセントかの反発が可能である。実際、この反発はこの履物の最も即座にわかる特徴である。これによって、特に階段を上るときなどに着用者が使うエネルギーを効果的に減ずることができる。
【００２０】
このような高荷重の場合、ウェブが初期荷重の大きな割合を吸収しているので、発泡体は通常よりも柔らかであることができ（ふつうの靴では発泡体は全荷重を受けなければならない）、靴の快適性をさらに助長する。
【００２１】
履物のウェブ又はメッシュ／ネットは、ソール基部の外へりを越えて伸び、端部つまみ又はループなどの突起を履物のアウターの設計にそれぞれ盛り込まれた対応する凹所又は耳部に嵌めることによって、外縁部に固着され得る。
【００２２】
可撓性のウェブ／メッシュ／ネットは、典型的には、射出成形で平らに成形することができ、理想例の材料は、サーフボードの脚綱又は紐として使用されるような可撓性ポリウレタン熱可塑性エラストマーである。この材料の特徴は、伸長し反発する卓越した能力である。
【００２３】
ウェブ／メッシュのエラストマーは、ジュロメーター値３０〜１２０ショアーＡ、より好ましくは８０〜９５ショアーＡ（９０Ａが非常に典型的）を有して、十分に重量を支持しながら必要なエラストマー伸長特性を提供することができる。市販されている、例としての射出成形グレードのエラストマーとしては、ＢＡＳＦ社のエラストラン１１８５及びバイエル社のデスモパン３８５Ｓ（ＲＴＭ成形）が挙げられる。ＢＡＳＦ社のエラストラン及びバイエル社のデスモパンはいずれも射出成形グレードの熱可塑性物質である。
【００２４】
一代替のエラストマーは、Ｅｒａ  Ｐｌａｓｔｉｃｓ社のＥｒａｐｏｌであり、「液体の、イソシアネートを末端基とする、ＰＴＭＥＧポリエーテルポリオールをベースとするプレポリマー」と分類される（射出成形グレードではない）化学硬化ポリマーである。適切なエラストマー特性及び強度を示す、ポリウレタンを含む他のエラストマーも利用できる。
【００２５】
対応するソール基部の突起にかけるループ以外の連接法、例えば「フック」を用いてもよく、つまみ及びスロットを有する設計などの例が挙げられる。しかし、一選択肢は、ウェブとソール外縁支持体とを一体要素として成形することである。このことは、同一の材料からのシングルショット射出成形によって、又は、別々の材料を使用するがこれらをツーショット・オーバー成形法の間に一体接合するオーバー成形法によって、実現することができる。
【００２６】
ウェブ又はメッシュは金型内で予張力中に置かれ得、アウターソール及び／又はソール基部がその周囲に成形されると、金型から出した後もその予張力は維持される。
【００２７】
本発明の少なくとも１つの実施形態の別の選択肢は、直立した又は垂直方向の外縁部又はへり（例えばアウターソール又は外底）とソール基部とを一体要素として一緒に成形する。接合が問題であれば、代わりに、これらをオーバー成形して一体要素にすることができる。エラストマーウェブ／メッシュは、前述したように、エラストマーのループによって基部に連接されることができる。
【００２８】
次に、本発明の１又は複数の実施形態を添付の図面を参照しながら説明する。
【図面の簡単な説明】
【００２９】
【図１】本発明の一実施形態による、ウェブ又はメッシュ、ソール外枠、及び外底を含む複数要素のソール構造の分解図である。なお、ソール外枠はアッパーを形成する一体部分を有し、これは他の実施形態でも取付け可能である。
【図２】図１に示すソール構造の部分的に組み立てられた部分の図である。ソール外枠と外底が組み合わされている。
【図３】ウェブ又はメッシュがソール外枠と係合して所定位置にある、組み立てられた図１のソール構造の図である。
【図４】完全に組み立てられた図１の構造の図である。
【図５】本発明の一実施形態によるソール構造を組み入れた履物１点の透視側面図である。
【図６】図６ａは、本発明の一実施形態によるソール構造の正面断面図である。図６ｂ及び図６ｃは、図６ａの構造の構成要素を示す図である。
【図７】図７ａは、本発明の一実施形態を組み入れた、履物１点を示す図である。図７ｂから図７ｅは、図７ａの履物の構造のさまざまな構成要素を示す図である。
【図８】本発明の一代替実施形態によるソール構造の分解図である。ソール外枠が、一体成形された可撓性エラストマーのウェブ又はメッシュ支持体を含む。
【図８Ａ】図８Ａは、図８のソール構造の、特にメッシュパターンの上部平面図である。
【図９】は、本発明の一実施形態による、履物１点に組み入れられたソール構造の一代替構成の図である。
【図１０】図１０ａは、本発明のさらなる一実施形態による、組み立てたソール構造の断面図の前部を示し、図１０ｂは、その分解図である。
【図１１】平均ｇ値を比較したグラフである。
【図１２】平均ＥＲ値を比較したグラフである。
【図１３】図１１及び図１２のグラフの平均ＥＲ値と平均ｇ値の比（Ｅｒ：ｇ）を比較したグラフである。
【発明を実施するための形態】
【００３０】
本発明は２つの実施形態に関連して説明されるが、本発明の範囲はそれら実施形態のみに制限されるものではないことを理解されたい。
【００３１】
本発明を具現化する履物の４例をそれぞれ図１〜図４、図５〜図６、図７、図８〜図１０に示す。
【００３２】
図１〜図４は、別々に成形されたウェブ／メッシュを他の２点の要素とともに示しており、他の２点とは、中心主要体（図１〜図４に示すように金型内アッパー靴ストラップも含み得る）、及び自体が高密度材料であって、湾曲した補強耳部を含むソールであり、該耳部は交差剛性を提供して、所定位置にかけられたウェブ／メッシュからの張力下で靴が内側につぶれるのを防ぐ。
【００３３】
ソール基部を中心体の嵌め合わせリップ内に接合するだけで、ウェブとソール基部との間に十分な空間／間隙が存在して、ウェブが足の重量下で撓むことができる。ソール基部は、典型的にはおよそ６５Ｄの高密度ポリウレタンエラストマーであって、ソールのアウターがウェブの予張力又はウェブにかかる足の重量のいずれかの下で内側につぶれないように保護することができる。これは全体として、あとはフックやループ留め具などの留め具機構、及び随意の芯を加えるだけで完成品となる、完璧なサンダルとなる。
【００３４】
なお、本発明の１又は複数の代替実施形態は、直立した又は垂直方向の外縁部又はへり（例えばアウターソール又は外底）とソール基部とを一体成形する。接合が問題であれば、代わりに、これらをオーバー成形して一体要素にすることができる。エラストマーウェブ／メッシュは、前述したように、エラストマーのループによって基部に連接されることができる。
【００３５】
ウェブ／メッシュは、格子風パターン若しくは六角形のウェブなどの幾何学的配置、又は、特に足の荷重を吸収するように設計されたより「有機的」若しくは不規則な構成／パターンを有することができる。
【００３６】
また、この履物の金型は、図１〜図４に例として示すように、典型的なレザー靴若しくはランナー靴風の設計、又はサンダルの設計などアッパー（靴上部）を随意に含むこともできる。
【００３７】
例として用いている前側及び後側のストラップ対は、単一要素の中心体のショット成形又はオーバー成形の設計プロセスに含めることができ、金型の配置は平坦にも、ウェブ／メッシュに対しストラップ対をほぼ９０度とすることもできる。
【００３８】
代わりに、前側及び後側のストラップ対を省き、他の典型的な一般的なスタイルのアッパー、例えばランナー靴などのアッパーをウェブ靴のウェブ／メッシュ、アウター、及びソールの設計概念に組み入れることもできる。
【００３９】
これらの靴上部／アッパーは中心体の外側上側部分に既知の一般的な手段によって接合することができる。
【００４０】
本発明を具現化する履物構造の第２の例を図５及び図６に示す。この構造システムは、同種のウェブ／メッシュを利用するが、メッシュの端部ループが、靴のアウター又はカバーの両側の「櫛」状構造の耳部にかかる。
【００４１】
この「櫛」は一般には金属ラチス（材料はカーボン又は硬質の強化された射出成形プラスチックなどの合成材料であってもよい）であり、ウェブの端部ループ用の上側部分の耳部、及びソール／カバー外側の対応するスロット内に嵌る下側部分の歯からなる。次いでウェブが張り渡され、端部ループが両側の櫛にかけられると、ウェブ／メッシュは予張力下に置かれて、ソール基部にまで撓み過ぎることなく足の重量を適切に吸収することができる。
【００４２】
本発明を具現化する履物構造の第３の例の実施形態を図７に示す。この構造システムは、前述の第２の例と似ているが、既存の履物の製法により適する、より容易な製造の利点を有する。この第３の実施形態は、靴両側の櫛状構造ではなく、簡単なペグと穴の構成を用いる。
【００４３】
ソールは、ソールを横方向に渡る向きの水平方向部分を含むＵ字型の金属ワイヤ（又は剛性材料）ペグを含む。ウェブ／メッシュ／ネットがペグに張り渡されると、提供される剛性により、靴が内側につぶれるのが防止される。Ｕ字型ペグの垂直方向部分は、Ｈ字型の靴中間部分の嵌め合わせ穴に入るように設計される。Ｈ字型中間部分は全体的にウェブ／メッシュ／ネットを含み、ペグ穴を含むウェブ／メッシュ／ネットエラストマーの垂直方向部分に囲まれる。
【００４４】
（ワイヤペグを有する）下側ソール部分は、（穴を有する）Ｈ字型中間部分内に下から嵌り、その上に靴アッパーが嵌る。Ｈ字型中間部分は外向きに引っ張られてソールの対応するペグに上から嵌り、それによってウェブ／メッシュ／ネットに予伸長が加わって足重量の支持が補助される。
【００４５】
本発明を具現化する履物構造の第４の例の実施形態を図８、図８Ａ、図９、及び図１０に示す。この構造システムは、前述した第２及び第３の例と似ているが、より簡単明瞭な製造方法を有し、Ｕ字型金属ワイヤなどの追加の構造補助をなんら必要としない。この方法は「Ｈ字」型断面の成形を必要とし、「Ｈ字」の外側垂直方向部分は成形エラストマー／ゴム／ウレタンであり、「Ｈ字」の水平方向部分はウェブ／メッシュであり、同じ材料から一体要素に成形される。一体要素として成形されると説明したが、ウェブ／メッシュを別に成形して、垂直方向へり部分をオーバー成形するか、又はその逆か、又はそれらの組合せも可能である。
【００４６】
本発明の各実施形態においてウェブ／メッシュは予張力がかかっている。この予張力がなければ、ウェブ−メッシュは、足を通じて人の体重がかかったときに、ウェブ−メッシュと地面又は外底上面との間の短い距離内でウェブ／メッシュが十分に抵抗を提供することなく、簡単にソール基部まで撓んでしまう。
【００４７】
予張力は、ウェブが不必要な張りを要するという意味ではなく、単に、重量が加わる前に弛ませずウェブに覚えさせておくことを意味する。したがって、ウェブと垂直方向の外へりとが一体要素として成形され、ウェブはなおも十分な予張力を含み、ソールと上部を単に加えるだけ、ということが好ましい。
【００４８】
本発明を組み入れた履物の設計の多くの異なる組合せを組み入れて、履物の市場に適応することが可能である。例えば、サンダル、トラッド靴、ランナー靴、トレーナー靴、スニーカー、トング／フリップフロップ、ブーツなど。本発明の実施形態を用いた設計理念は、事実上どのような形態の外履きタイプにも適用できる。
【００４９】
本発明をより容易に理解して実用できるように、次に図１〜図３を参照する。
【００５０】
図１は、上述の本発明を具現化する履物の第１の実施形態の一例であり、３つの主要構成要素の後方からの斜視図であって、
（ａ）上段は、外側連接ループ５を有する斜め格子風パターン４の典型的なエラストマーウェブ／メッシュ１であり、
（ｂ）中段は、前側ストラップ対６、後側ストラップ対７、耳部８、及び内側リップ９を含む一体成形品の中心体２であり、
（ｃ）下段は、湾曲した並列ブレース支持体１０を特徴とする高密度エラストマーソール３であり、高密度ソール３は、中心体２の底部の嵌め合わせリップ９に下から嵌って（上方向矢印参照）接合され（又は一体要素として成形され）、エラストマーウェブ１は、ウェブのループ５が対応する中心体２の耳部８の周りに伸びるように上から（下方向矢印参照）中心体２に嵌り、その結果ウェブ／メッシュ１は支持体１０により大部分に予張力がかかって保持され、ウェブ／メッシュ１とソール３の間にはウェブ／メッシュ１が足の重量により撓み込む空間がなおも存在している。
【００５１】
図２は、説明した履物の同じ第１実施形態の一例であり、システム下側の２つの主要構成要素の後方からの斜視図であって、中心体２は前側ストラップ対６、後側ストラップ対７、及び耳部８を含む一体成形品であり、下方から挿入され、高密度エラストマーソール３は湾曲した並列ブレース支持体１０を特徴とし、高密度ソール３は中心体２の底部の嵌め合わせリップに下から嵌って接合されている。製造において、要素２及び３（中心体２及びエラストマーソール３）を一体要素として成形して、これらの接合を不要にすることも可能である。
【００５２】
図３は、説明した履物の同じ第１の実施形態の一例であり、履物の３つの主要構成要素の後方からの斜視図である。
【００５３】
（ａ）一番上には、外側連接ループ５を有する斜め格子パターン４の典型的なエラストマーウェブ／メッシュ１があり、
（ｂ）真ん中には、前側ストラップ対６、後側ストラップ対７、及び耳部８を含む一体成形品の中心体２があり、
（ｃ）一番下には、見えないが、高密度エラストマーソールがあり、該高密度ソールは、中心体２の底部の嵌め合わせリップに下から嵌って接合され、エラストマーウェブ／メッシュ１は、ウェブ／メッシュのループ５が対応する中心体２の耳部８の周りに伸びるように上から中心体２に嵌り、その結果ウェブ／メッシュ１はソール支持体の強度により大部分に予張力がかかって保持され、ウェブ／メッシュ１とソールの間にはウェブ／メッシュ１が足の重量により撓み込む空間がなおも存在している。
【００５４】
図４は、説明したソール構造の同じ第１の実施形態の一例であり、システムの３つの主要構成要素の前方からの斜視図であって、（ａ）一番上には、外側連接ループ５を有する斜め格子風パターン４の典型的なエラストマーウェブ又はメッシュ１があり、（ｂ）真ん中には、着用位置へと折られた前側ストラップ対６及び後側ストラップ対７、並びに耳部８を含む一体成形品の中心体２があり、（ｃ）一番下には、見えないが、高密度エラストマーソールがあり、該高密度ソールは、中心体２の底部の嵌め合わせリップに下から嵌って接合され、エラストマーウェブ又はメッシュ１は、ループ５が対応する中心体２の耳部８の周りに伸びるように上から中心体２に嵌り、その結果ウェブ又はメッシュ１はソール支持体の強度により大部分に予張力がかかって保持され、ウェブ又はメッシュ１とソールの間にはウェブ／メッシュ１が足の重量により撓み込む空間がなおも存在している。
【００５５】
図５は、説明した構造の第２の実施形態の一例であり、（靴の両側）の「櫛」構造２８からなるウェブ又はメッシュ支持システムが取り付けられた高密度エラストマーカバー／アウター３０を示す構造の側面図であり、該櫛２８の下側部分はカバー／アウター３０の嵌め合わせスロットに挿入される「歯」２４を含み、その上側部分はウェブ又はメッシュ２０の端部ループ２２を保持する。櫛２８の歯２４がカバー／アウター３０に挿入されると、ウェブ又はメッシュ２０は横方向に張り渡され、櫛２８支持体の上部耳部にかけられた端部ループ２２により予張力下で所定位置に保持される。
【００５６】
図６は、図５で説明したウェブ靴の同じ第２の実施形態の一例であり、図５の構造の３つの分解断面説明図であって、カバー／アウター３０の両側に「櫛」構造２８からなるウェブ支持システムが取り付けられた高密度エラストマーカバー／アウター３０を示し、該櫛２８の下側部分はカバー／アウター３０の嵌め合わせスロット２６に挿入される「歯」２４を含み、該櫛２８の上側部分はウェブ又はメッシュ２０の端部ループ２２を保持する。櫛２８の歯２４がカバー／アウター３０のスロット２６に挿入されると、ウェブ又はメッシュ２０は横方向に張り渡され、櫛２８支持体の上部耳部にかけられた端部ループ２２により軽い予張力下で所定位置に保持される。
【００５７】
図７は、説明した構造の第３実施形態の一例であり、システム４０の３つの側面図と２つの断面図である。上段の側面図は、完全なシステム４０を示し、その下の２つの側面図は、中間部全体にわたりメッシュ２０を含み、外周の周りにペグ穴４２を含む垂直方向縁部分を有するＨ字型断面中間部分４８の詳細な側断面図を示す。また、Ｕ字型金属又は剛性ワイヤペグ４６を含む高密度エラストマーソール４４も示す。ペグ４６の水平方向部分は、横方向の剛性を提供してウェブ又はメッシュ２０が予め引っ張られるのを許容し、ペグ４６の垂直方向部分はその上のＨ字型部分４８の嵌め合わせ凹所であるペグ穴４２に入る。
【００５８】
図８及び図８Ａは、説明した構造の第４の最も簡単な実施形態の一例を示し、ウェブ靴の下側靴部分の２つの主要要素の分解斜視図（図８）と上部平面図（図８Ａ）である。部分９０は、（水平方向の）中間部全体にウェブ／メッシュ２０を含み、外周８０の周りに垂直方向縁部分を有する一体成形されたＨ字型部分（又はツーピース・オーバー成形されたＨ字型部分）である。また、外周の周りの垂直方向縁部分８０に下から嵌って取り付けられる、一般に高密度のエラストマーソール８８も示す。製造においては、要素８８と８０を一体要素として一緒に成形し、ウェブ／メッシュ２０をオーバー成形して、これらの要素を接合する必要性を不要とすることも、もちろん可能である。
【００５９】
図９は、説明したウェブ靴の同じ第４の最も簡単な実施形態の一例を示し、ソールが平らなスニーカー風の例の側面図である。ここでは、部分９０を表している図８に示したウェブ／メッシュ靴の下側靴部分に取り付けられた靴アッパー１００を示し、該部分９０は、（水平方向の）中間部全体にウェブ／メッシュ２０を含み、外周の周りに垂直方向縁部分８０を有する一体成形されたＨ字型部分（又はツーピース・オーバー成形されたＨ字型部分）を含んでいる。また、外周の周りの垂直方向縁部分８０に下から嵌って取り付けられる、一般に高密度のエラストマーソール８８も示す。
【００６０】
図１０は、説明した構造の同じ第４の最も簡単な実施形態の一例を示し、図９のソールが平らなスニーカー風の例の断面図である。左側は、互いに嵌められたシステムであり、右側は同じ靴システムの分解断面図である。いずれも、靴アッパー１００、及びウェブ／メッシュ２０を中間部全体に（水平方向に）含み、外周の周りに垂直方向縁部分８０を有する一体成形されたＨ字型部分９０（又はツーピース・オーバー成形されたＨ字型部分）を示す。また、外周の周りの垂直方向縁部分８０に下から嵌って取り付けられる、一般に高密度のエラストマーソール８８も示す。
【００６１】
さらに、ウェブ／メッシュ２０を覆う随意の薄い上部発泡体パッド１２０（典型的にはＥＶＡ又はシリコーン発泡体）、及びウェブ／メッシュ２０が高重量荷重を吸収するのを補助する随意の底部発泡体パッド１４０（典型的にはＥＶＡ又はシリコーン発泡体）を示す。
【００６２】
随意の薄い上部発泡体パッド１２０は、ウェブ／メッシュ又はウェブ／メッシュ外周によって支持される、装具として形成されたパッド、又はさらに高密度の材料であり得ることも可能である。
【００６３】
ウェブ／メッシュは、中心区域の周りに外周区域を形成することができ、中心区域はウェブ／メッシュの材料とは異なる材料であるか、又はウェブ／メッシュと同じ材料であるが材料のグレードが異なるか、又は（１又は複数の）異なる厚さであるか、又はウェブ／メッシュの物理的特性とは異なる少なくとも１つの物理的特性を有するか（その「ばね」、伸長度又は復元力など）、又はウェブ／メッシュタイプの材料ではなくソリッドである。なお、ウェブ／メッシュは織物又は成形品のエラストマー材料であり得る。
【００６４】
本発明の範囲又は領域から逸脱することなく、設計及び構造の詳細をさまざま変更することができる。
【００６５】
反発（歩行の際の跳ね返り又は快適性）など、履物の性能特徴は、次のパラメータにより測定することができる。
【００６６】
（ａ）衝撃吸収（「ｇ」）  減速の単位であり、より低い衝撃（ｇ値）は一般に、着用者にとってのより柔らかいソール、及びより快適であることを示す。したがって、ｇ値が低いほうが快適性には良い。
【００６７】
（ｂ）エネルギーリターン（ＥＲ）  快適性の点では重要ではないが、高いＥＲ値はユーザーの足の運びに「ばね」を提供する。そのような「ばね」は、ユーザーのエネルギー消費を軽減し、衝撃の影響も軽減する。エネルギーリターン値が高いことは、クッション材料が足の下で「踏み固められる」ことに対する抵抗の指標でもある。ＥＲ値が高いほうが、エネルギー消費の軽減に良い。
【００６８】
履物の種類によって「ｇ」値と「ＥＲ」値は異なる。一般に、「ｇ」値が低い材料は「ＥＲ」値も低い。台湾の「靴類及び運動レクリエーション技術研究センター」で、本発明の一実施形態について独立比較検定を実施した。この検定から次のデータが得られた。
【表１】
2018149367.tif 000003
【００６９】
図１１は、上の表の平均ｇ値を比較したグラフを示す。図１２は、上の表の平均ＥＲ値を比較したグラフを示す。図１３は、図１１及び図１２のグラフの平均ＥＲ値と平均ｇ値の比（Ｅｒ：ｇ）を比較したグラフを示す。
【００７０】
図１１のグラフは、検定した本発明の履物の実施形態の衝撃吸収能力が、比較した靴の平均よりも低いｇ値を有することを明らかにしている（ランニング靴の平均ｇ値＝１２、トレーナー靴及びスポーツ靴の平均ｇ値＝１６．５、カジュアル靴の平均ｇ値＝１５．５、タウン／フォーマル靴の平均ｇ値＝３５）。検定した本発明の実施形態（「Ｅｌａｓｔｏｗｅｂ（商標）」と称される）のｇ値は、ｇ＝１１．５と記録された。低いｇ値は、より快適性が高い靴を示す。
【００７１】
図１２のグラフは、検定した本発明の実施形態の同じ「Ｅｌａｓｔｏｗｅｂ（商標）」の靴のエネルギーリターン（ＥＲ）値が、グラフ内の比較した履物カテゴリーの平均値の全部よりも大きいことを明らかにしている。非常に大きいＥＲ値は、着用者に戻るより大きいエネルギーリターン又は「ばね」効果を示し、それによって歩行がより疲れにくくなる。
【００７２】
図１３のグラフでは、所与の量の衝撃吸収に対し着用者に戻される跳ね返り量を、ＥＲ値とｇ値の比で表している。要するに、吸収されたエネルギーに対する戻されたエネルギーの相対的な値、すなわち、どれだけのエネルギーが吸収されたかと比較してどれだけのエネルギーが戻されたか、である。図１３のグラフは、本発明の「Ｅｌａｓｔｏｗｅｂ（商標）」の変形は、グラフ内の比較した履物カテゴリーの平均値と比較して、吸収された衝撃に対しより大きいエネルギーリターンを有することを明白に表している。
【図１】
2018149367.tif 000004
【図２】
2018149367.tif 000005
【図３】
2018149367.tif 000006
【図４】
2018149367.tif 000007
【図５】
2018149367.tif 000008
【図６】
2018149367.tif 000009
【図７】
2018149367.tif 000010
【図８】
2018149367.tif 000011
【図８Ａ】
2018149367.tif 000012
【図９】
2018149367.tif 000013
【図１０】
2018149367.tif 000014
【図１１】
2018149367.tif 000015
【図１２】
2018149367.tif 000016
【図１３】
2018149367.tif 000017